(57)【要約】【課題】額縁周辺に小物を置きたいときに、小物が置ける収納棚を額縁付近に簡単に取り付けられる収納付き額縁を提供する。【解決手段】収納付き額縁１０は、支持具１２と、額縁１４と、収納棚１６とを備える。支持具１２は、枠体１８と、枠体１８の背面に設けられた側板２０と、側板２０の背面に設けられた背板２２とを備える。額縁１４は、枠体１８に取り付けられる。収納棚１６は、背板２２に取り付けられる。背板２２は、直線状に溝２４Ｔが形成された受部２４を備える。収納棚１６は、直線状にフック２６Ｈが形成された引掛部２６と、引掛部２６の下方に設けられた収納部２８とを備える。支持具１２に額縁１４および収納棚１６が取り付けられたときに、受部２４および引掛部２６が現れず、収納部２８が現れる。【選択図】図３
0003183761.tif 000002
【実用新案登録請求の範囲】
【請求項１】
枠体と、前記枠体の背面に設けられた側板と、前記側板の背面に設けられた背板とを備える支持具と、
前記枠体に取り付けられる額縁と、
前記背板に取り付けられる収納棚と、
を有する収納付き額縁であって、
前記背板は、直線状に溝が形成された受部を備え、
前記収納棚は、直線状にフックが形成された引掛部と、前記引掛部の下方に設けられた収納部とを備え、
前記収納棚は、前記フックが前記溝に嵌め込まれることによって、前記背板に取り付けられ、
前記支持具に前記額縁および前記収納棚が取り付けられたときに、前記受部および前記引掛部が現れず、前記収納部が現れる収納付き額縁。
【請求項２】
請求項１において、
前記背板は、上下に並んだ複数の前記受部を備える収納付き額縁。
【請求項３】
請求項１または２において、
前記収納棚は、前記収納部の左側および右側にそれぞれ設けられた左縦枠および右縦枠を備え、
前記引掛部は、前記左縦枠と前記右縦枠との間に設けられ、
前記支持具は、前記受部と前記側板との間に、前記左縦枠および前記右縦枠が収まる領域を備える収納付き額縁。
【請求項４】
請求項１から３のいずれかにおいて、
前記枠体は、前記額縁が装着される内溝を備える収納付き額縁。
【考案の詳細な説明】
【技術分野】
【０００１】
本考案は、額縁と収納棚とを備える収納付き額縁に関する。
【背景技術】
【０００２】
写真や絵画等が入れられた額縁が、壁に吊り下げられ飾られている。このとき、写真や絵画等に関連する小物、例えば、一緒に写真を撮ったプロ野球選手のサイン入りボールも額縁周辺に飾りたい。しかしながら、額縁自体にボールを飾ることはできない。
【考案の概要】
【考案が解決しようとする課題】
【０００３】
本考案は、このような事情に鑑みてなされたものであり、額縁周辺に小物を置きたいときに、小物が置ける収納棚を額縁付近に簡単に取り付けられる収納付き額縁を提供することを目的とする。
【課題を解決するための手段】
【０００４】
本考案の収納付き額縁は、枠体と、枠体の背面に設けられた側板と、側板の背面に設けられた背板とを備える支持具と、枠体に取り付けられる額縁と、背板に取り付けられる収納棚と、を有する収納付き額縁であって、背板は、直線状に溝が形成された受部を備え、収納棚は、直線状にフックが形成された引掛部と、引掛部の下方に設けられた収納部とを備え、支持具に額縁および収納棚が取り付けられたときに、受部および引掛部が現れず、収納部が現れる。
【０００５】
本考案の収納付き額縁において、背板は、上下に並んだ複数の受部を備えることが好ましい。また、本考案の収納付き額縁において、収納棚は、収納部の左側および右側にそれぞれ設けられた左縦枠および右縦枠を備え、引掛部は、左縦枠と右縦枠との間に設けられ、支持具は、受部と側板との間に、左縦枠および右縦枠が収まる領域を備えていてもよい。また、本考案の収納付き額縁において、枠体は、額縁が装着される内溝を備えることが好ましい。
【考案の効果】
【０００６】
本考案によれば、額縁周辺に小物を置きたいときに、小物が置ける収納棚を額縁付近に簡単に取り付けられる。
【図面の簡単な説明】
【０００７】
【図１】本考案の実施形態に係る収納付き額縁の正面図である。
【図２】本考案の実施形態に係る収納付き額縁の左側面図である。
【図３】図１に示す収納付き額縁のＡ−Ａ線断面図である。
【図４】本考案の実施形態に係る支持具の正面図である。
【図５】図４に示す支持具のＢ−Ｂ線断面図である。
【図６】本考案の実施形態に係る収納棚の正面図である。
【図７】図６に示す収納棚のＣ−Ｃ線断面図である。
【図８】本考案の実施形態に係る収納棚の背面図である。
【考案を実施するための形態】
【０００８】
以下、本考案の収納付き額縁について、図面を参照しながら実施形態に基づいて説明する。図面は、収納付き額縁、収納付き額縁を構成する部材、および収納付き額縁の周辺部材を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は、本考案の実施形態に係る収納付き額縁１０の正面図である。図２は、収納付き額縁１０の左側面図である。図３は、図１に示す収納付き額縁１０のＡ−Ａ線断面図である。収納付き額縁１０は、壁面にネジ等で取り付けたり、壁面に取り付けられたフック等に吊り下げたりして使用する。収納付き額縁１０は、支持具１２と、額縁１４と、収納棚１６とを備える。
【００１０】
図４は、支持具１２の正面図である。図５は、図４に示す支持具１２のＢ−Ｂ線断面図である。支持具１２は木製で、枠体１８と、側板２０と、背板２２とを備える。枠体１８は、四本の棒状の木材を、上下左右につなぎ合せて長方形にしたような形状を有する。枠体１８の内部には、内溝１８Ｔが形成されている。額縁１４は、以下の手順で枠体１８の内溝１８Ｔに装着される。まず、支持具１２の前面に額縁１４の裏面を近づけ、枠体１８の上の溝１８Ｔに額縁１４の上辺を差し込む。つぎに、枠体１８の上の溝１８Ｔに額縁１４の上辺を差し込んだまま、額縁１４の下辺を枠体１８の下の内溝１８Ｔに入れる。そして、額縁１４から手を放すと、額縁１４が内溝１８Ｔに装着される。
【００１１】
側板２０は、図５に示すように、枠体１８の背面に設けられている。側板２０は、それぞれ木製の上側板２０Ｔと、左側板２０Ｌと、右側板２０Ｒとを備える。支持具１２の下は側板２０がなく、開いている。後述するように、この支持具１２の下の開口部から収納棚１６が入れられて、収納棚１６が支持具１２の背板２２に取り付けられる。また、支持具１２の背板２２から取り外された収納棚１６は、支持具１２の下の開口部から取り出される。この収納棚１６の取り付けおよび取り出しは、額縁１４が枠体１８に取り付けられた状態で行ってもよいし、額縁１４が枠体１８から取り外れた状態で行ってもよい。
【００１２】
背板２２は、側板２０の背面に設けられている。背板２２は、長方形の薄い木製板から構成される。背板２２は、前面に受部２４を備える。受部２４は、図４に示すように、横方向、すなわち水平方向に長く設けられている。後述するように、受部２４に収納棚１６を引っ掛けることによって、支持具１２の背板２２に収納棚１６を取り付ける。取り付けた収納棚１６が左右に動かなければ、受部２４の長手は厳密な水平でなくてもよい。受部２４には、図５に示すように、直線状に溝２４Ｔが形成されている。そして、受部２４は、背板２２の前面に、上下に２つ並んで設けられている。このように受部２４が上下に複数あるため、収納する物に応じて、収納棚１６を取り付ける高さを調整できる。なお、受部２４は、上下に３つ以上並べてもよいし、１つだけでもよい。
【００１３】
図６は、収納棚１６の正面図である。図７は、図６に示す収納棚１６のＣ−Ｃ線断面図である。図８は、収納棚１６の背面図である。収納棚１６は、引掛部２６と、引掛部２６の下方に設けられた収納部２８とを備える。また、収納棚１６は、収納部２８の左側に設けられた左縦枠１６Ｌと、収納部２８の右側に設けられた右縦枠１６Ｒとを備える。左縦枠１６Ｌと右縦枠１６Ｒとの間には、横枠１６Ｔが設けられている。引掛部２６は、左縦枠１６Ｌと右縦枠１６Ｒとの間で、横枠１６Ｔの背面に設けられている。
【００１４】
引掛部２６には、図７および図８に示すように、直線状にフック２６Ｈが形成されている。収納棚１６は、フック２６Ｈが溝２４Ｔに嵌め込まれることによって、背板２２の前面に取り付けられる。本実施形態では、支持具１２は、図４に示すように、受部２４と側板２０との間に、左縦枠１６Ｌおよび右縦枠１６Ｒが収まる領域１２Ｅを備える。このため、上にある受部２４の溝２４Ｔにフック２６Ｈを嵌め込んだときに、下にある受部２４に収納棚１６が接触しない。収納部２８は、図７に示すように、台板２８Ｓと、台板２８Ｓを囲むフェンス２８Ｆとを備える。台板２８Ｓの上に収納したい物を置く。台板２８Ｓ、左縦枠１６Ｌ、および右縦枠１６Ｒの背面には、収納棚背板３０が設けられている。
【００１５】
収納付き額縁１０は、支持具１２に額縁１４および収納棚１６が取り付けられたときに、受部２４および引掛部２６が現れず、収納部２８が現れる。すなわち、図３に示すように、受部２４および引掛部２６は支持具１２の内側に納まり、収納部２８は支持具１２の外側に設置される。受部２４および引掛部２６が支持具１２の内側に納まるため、収納付き額縁１０を正面から見たときの外観デザインに優れる。
【００１６】
つぎに、壁面に固定された収納付き額縁１０の支持具１２に収納棚１６を取り付ける手順を説明する。まず、額縁１４を枠体１８から取り外す。つぎに、収納部２８や縦枠１６Ｌ，１６Ｒ等を持って、支持具１２の下の開口部から収納棚１６の上部を差し入れる。そして、収納棚１６を動かして、フック２６Ｈを溝２４Ｔに嵌め込む。つぎに、額縁１４を枠体１８に装着する。なお、壁面に固定された収納付き額縁１０の支持具１２に収納棚１６に装着された状態で、小物を収納部２８に置いてもよいし、収納棚１６を支持具１２から取り外した状態で、小物を収納部２８に置いて、収納棚１６を支持具１２に取り付けてもよい。
【００１７】
以上、実施形態に基づいて本考案の収納付き額縁を説明したが、本考案の収納付き額縁は上記実施形態に限定されない。例えば、上記実施形態では支持具や額縁等の収納付き額縁を構成する部材が木製であるが、収納付き額縁を構成する部材は、樹脂製や金属製であってもよい。また、上記実施形態では、額縁１４が枠体１８から取り外された状態で、収納棚１６を支持具１２に取り付けたが、額縁１４が枠体１８に装着された状態で、収納棚１６を支持具１２に手さぐりで取り付けてもよい。また、本考案の収納付き額縁は、小物を置く必要がないときには、支持具１２から収納棚１６を取り外して通常の額縁として使用してもよい。
【符号の説明】
【００１８】
１０    収納付き額縁
１２    支持具
１４    額縁
１６    収納棚
１６Ｌ  左縦枠
１６Ｒ  右縦枠
１６Ｔ  横枠
１８    枠体
１８Ｔ  内溝
２０    側板
２０Ｔ  上側板
２０Ｌ  左側板
２０Ｒ  右側板
２２    背板
２４    受部
２４Ｔ  溝
２６    引掛部
２６Ｈ  フック
２８    収納部
２８Ｓ  台板
２８Ｆ  フェンス
３０    収納棚背板
【図１】
0003183761.tif 000003
【図２】
0003183761.tif 000004
【図３】
0003183761.tif 000005
【図４】
0003183761.tif 000006
【図５】
0003183761.tif 000007
【図６】
0003183761.tif 000008
【図７】
0003183761.tif 000009
【図８】
0003183761.tif 000010